(57)【特許請求の範囲】
【請求項１】
陳列什器の基台にプレート取付用のスリットを穿設するとともに、プレートには、前記スリットに対して係合可能なフックを設けた陳列什器におけるプレートの取付構造において、
前記フックには、前記スリットへの取付時に、プレートの前後位置が異なるように複数の係止部を形成し、かつ前記係止部は、それぞれ上下逆向に交互に形成されていることを特徴とする陳列什器におけるプレートの取付構造。
【請求項２】
フックに形成された複数の係止部の前後位置を、奥行き寸法の異なる少なくとも２以上の基台の寸法差に一致するように、それぞれ設け、プレートを、奥行き寸法の異なる基台に取り付けたときに、各基台間でプレートの前面が一致するようにしたことを特徴とする請求項１記載の陳列什器におけるプレートの取付構造。
【発明の詳細な説明】
【０００１】
【発明の属する技術分野】
本発明は、例えば、店舗の陳列什器に使用されるキックプレート等の取り付けに利用可能なプレートの取付構造に関する。
【０００２】
【従来の技術】
図６及び図７に示すように、並列される陳列什器において、支柱(50)(51)の奥行き寸法が、それぞれＭ、Ｍ´と異なる場合には、異なる奥行き寸法のキックプレート(52)(53)を使用したり、或いは、異なる寸法の脚杆(54)をすることによって、奥行きが一定の寸法Ｌとなるようにしている。これは、店舗に陳列什器を配置した時のデザイン上の問題や、使い勝手を考慮して、奥行き寸法を一定にすることが行われる。
【０００３】
【発明が解決しようとする課題】
しかし、支柱の奥行き寸法に合わせて、寸法の異なる複数のキックプレートや脚杆を準備するのは、部品点数の増加を招き、この結果、システム什器全体としてコスト高をもたらし、しかも、部品の管理等においても煩雑化をもたらす。
【０００４】
本発明は、従来の技術が有する上述のような問題点に鑑みてなされたもので、例えば、奥行き寸法の異なる支柱を使用した陳列什器下方のキックプレート部分を一定の奥行き寸法にすることのできるプレートの取付構造を提供することを目的とする。
【０００５】
【課題を解決するための手段】
本発明は、次のようにして上記課題を解決している。
(１) 陳列什器の基台にプレート取付用のスリットを穿設するとともに、プレートには、前記スリットに対して係合可能なフックを設けた陳列什器におけるプレートの取付構造において、前記フックには、前記スリットへの取付時に、プレートの前後位置が異なるように複数の係止部を形成し、かつ前記係止部は、それぞれ上下逆向に交互に形成されている。
【０００６】
(２) 上記（１）項において、フックに形成された複数の係止部の前後位置を、奥行き寸法の異なる少なくとも２以上の基台の寸法差に一致するように、それぞれ設け、プレートを、奥行き寸法の異なる基台に取り付けたときに、各基台間でプレートの前面が一致するようにしている。
【０００７】
【発明の実施の形態】
次に、本発明の実施の形態を、添付図面を参照しながら説明する。
【０００８】
図１に示すように、本発明が適用される陳列什器は、左右１対の支柱(10)と、脚杆(12)と、キックプレート(14)等とを備えて構成されている。支柱(10)の下端部(10a)には、支柱(10)の下部を支持して立設させる基台としての脚杆(12)が、支柱(10)の下端部(10a)の前後にそれぞれ取り付けられている。
【０００９】
左右の支柱(10)の下端間は、下部連結材(16)によって連結され、支柱(10)の上端間は、上部連結材(17)によって連結されている。左右の支柱(10)の間には、バックボード(18)が立設され、陳列什器の前後を区画している。支柱(10)には、バックボード(18)を境とする前後面側に、それぞれ棚板(20)が取り付けられている。
【００１０】
図２は、脚杆(12)と、キックプレート(14)との関係を示している。脚杆(12)の前端面(12a)には、２個の長方形状のスリット(22)が穿設されている。キックプレート(14)の後面の両側部には、フック(24)が突設されており、このフック(24)には、前記スリット(22)に係合する２つの鉤状の係止部(24a)が形成されている。
【００１１】
各係止部(24a)は、支柱(10)又は脚杆(12)の奥行き寸法に合わせて、キックプレート(14)との係止位置を選択することにより、キックプレート(14)の位置を、２段階の奥行き寸法に調整することが可能であり、例えば、並列配置された２台の陳列什器のキックプレート(14)の前面を一致させることができる。即ち、キックプレート(14)は、左右の脚杆(12)の端部同士を連結し、異なる奥行き寸法を有する支柱(10)又は脚杆(12)を使用したときに、陳列什器下部の奥行き寸法を一定にして、什器を並列に配置したときの整列状態を保持することができるようになっている。
【００１２】
なお、図２のフック(24)では、係止部(24a)を２個設けているが、３個以上設けることも可能である。
【００１３】
図３は、他の実施形態のキックプレート(26)を示している。キックプレート(26)にも、前述した図２のキックプレート(14)と同様に、フック(28)が後面の両側部に形成されているが、連続して形成されている２個の係止部(28a)(28b)が、それぞれ上下逆向きに、交互に形成されている点で、図２のキックプレート(14)と異なる。
【００１４】
キックプレート(26)についても、前述したキックプレート(14)と、同様に、２通りの係止位置を選択することができるが、係止部(28a)(28b)が上下逆向きに取り付けられているために、いずれか一方の係止部(28a)(28b)を利用してキックプレート(26)を脚杆(12)に取り付けるときは、図４及び図５に示すように、天地が異なることになる。
【００１５】
即ち、図５に示すように、係止部(28b)をスリット(22)に係止させるときは、図４の状態からキックプレート(26)の天地を逆にしないと、装着することができないことになる。このため、キックプレート(26)の係止部(28a)(28b)の各係止位置が明確となり、キックプレート(26)の装着が容易となる利点がある。
【００１６】
このように、以上の実施形態によれば、キックプレートのフックに、装着位置の異なる複数の係止部を設けるようにしているので、支柱の奥行き寸法が異なる場合でも１種類のキックプレートで、陳列什器下部前面の奥行き寸法を一致させることができるようになり、部品を共通化することができる。これにより、部品点数の削減が可能となり、コストダウン、部品管理の容易化を図ることができる。
【００１７】
また、フックの前後位置を、奥行き寸法の異なる陳列什器の寸法差に一致するように設け、並列配置された各陳列什器に取り付けたキックプレートの前面が一致するように、予め寸法を設定してあるので、様々な奥行き寸法を有する陳列什器へ対応することができる。
【００１８】
以上の実施形態では、陳列什器の下部に取り付けられるキックプレートに適用した場合について説明したが、キックプレートに限らず、巾木や笠木等、他の部品の取付構造に適用することも可能である。
【００１９】
【発明の効果】
本発明によれば、次のような効果を奏することができる。
(a) 請求項１の発明によると、フックには、スリットに係合させた際に、プレートの前後位置を変化させる複数の係止部を形成しているので、支柱の奥行き寸法が異なる什器を並列配置した場合でも、１種類のプレートで、その前面が一致するようにすることができる。このため、１種類のプレートを、奥行き寸法の異なる支柱を有する陳列什器で共通化することができるので、部品点数の削減が可能となり、コストダウン、部品管理の容易化を達成できる。
【００２０】
また、複数の係止部を、それぞれ上下逆向に交互に形成しているので、プレートの基台に対する前後位置の判別が容易となり、プレートの装着が容易となる。また、上下逆向に交互に形成することによって係止部の強度も確保されるので、プレート自体を堅固に基台に取り付けることができるようになる。
【００２１】
(b) 請求項２の発明によると、係止部の前後位置を、奥行き寸法の異なる陳列什器の基台の寸法差に一致するように設けてあるので、プレートを、奥行き寸法の異なる什器に取り付けたときでも、各什器におけるプレートの前面を容易に一致させることができる。
【図面の簡単な説明】
【図１】  本発明の実施形態の陳列什器の分解斜視図である。
【図２】  本発明の一実施形態におけるキックプレートの取付構造を示す要部斜視図である。
【図３】  本発明の他の実施形態のキックプレートを示す斜視図である。
【図４】  図３のキックプレートを陳列什器に取り付けた状態を示す概略側面図である。
【図５】  図３のキックプレートを上下逆向きにして陳列什器に取り付けた状態を示す概略側面図である。
【図６】  従来の並べて配置される一方の陳列什器におけるキックプレートの取付状態を示す概略斜視図である。
【図７】  同じく、他方の陳列什器におけるキックプレートの取付状態を示す概略斜視図である。
【符号の説明】
(10)支柱
(10a)下端部
(12)脚杆
(12a)前端面
(14)キックプレート
(16)下部連結材
(17)上部連結材
(18)バックボード
(20)棚板
(22)スリット
(24)フック
(24a)(24b)係止部
(26)キックプレート
(28)フック
(28a)(28b)係止部
【図１】
0004023641.tif 000002
【図２】
0004023641.tif 000003
【図３】
0004023641.tif 000004
【図４】
0004023641.tif 000005
【図５】
0004023641.tif 000006
【図６】
0004023641.tif 000007
【図７】
0004023641.tif 000008